(57)【特許請求の範囲】
【請求項１】
適温の湯を作る湯生成手段と、この湯生成手段からの湯を人体局部に供給する第１の給水手段と、前記湯生成手段の湯を便器に流す第２の給水手段と、前記湯生成手段からの湯の温度を検知する温度検知手段と、湯の供給指示を行う操作部と、この操作部の操作に基づき前記第１の給水手段を制御する制御手段とを備える衛生洗浄装置であって、
前記温度検知手段での検知湯温が第１の監視温度以上になると、前記第２の給水手段を開放し、かつ、前記湯の放出中に前記温度検知手段で検知湯温を監視する判定モードを所定時間行う
ことを特徴とする衛生洗浄装置。
【請求項２】
請求項１記載の衛生洗浄装置において、
前記第１の給水手段による給水中に前記温度検知手段での検知湯温が前記第１の監視温度以上となった際には、前記第１の給水手段による給水を停止することを特徴とする衛生洗浄装置。
【請求項３】
請求項１記載の衛生洗浄装置において、
前記判定モード中、前記温度検知手段での検知湯温が前記第１の監視温度以下の状態となった場合は、衛生洗浄装置の動作が待機状態に移行することを特徴とする衛生洗浄装置。
【請求項４】
請求項１記載の衛生洗浄装置において、
前記判定モード中、所定の時間、前記温度検知手段での検知湯温が第１の監視温度以下の状態が続くと、衛生洗浄装置の動作が待機状態に移行することを特徴とする衛生洗浄装置。
【請求項５】
請求項１記載の衛生洗浄装置において、
前記判定モード中、所定の時間、前記温度検知手段での検知湯温が第１の監視温度以上の状態が続くと、異常処理動作に移行することを特徴とする衛生洗浄装置。
【請求項６】
請求項１記載の衛生洗浄装置において、
前記判定モード中、所定の時間内に、前記温度検知手段での検知湯温が第２の監視温度以上になると、異常処理動作に移行することを特徴とする衛生洗浄装置。
【請求項７】
請求項１記載の衛生洗浄装置において、
前記第２の給水手段の開放中に前記温度検知手段での検知温湯が前記第１の監視温度以下に復帰した際には、前記第２の給水手段による給水を停止することを特徴とする衛生洗浄装置。
【請求項８】
請求項５または６記載の衛生洗浄装置において、
前記異常処理動作による給水停止後における前記操作部の操作に基づく給水の許可は再電源投入により行うことを特徴とする衛生洗浄装置。
【請求項９】
請求項２記載の衛生洗浄装置において、
前記第２の給水手段を開放中に、前記温度検知手段での検知湯温が前記第１の監視温度以下に復帰した際には、前記第１の給水手段による給水を再開することを特徴とする衛生洗浄装置。
【請求項１０】
請求項９記載の衛生洗浄装置において、
前記第１の給水手段による給水の再開に応じて、前記第２の給水手段による給水を停止することを特徴とする衛生洗浄装置。
【発明の詳細な説明】
【０００１】
【発明の属する技術分野】
本発明は、衛生洗浄装置に関し、適温水を吐水する衛生洗浄装置に関するものである。
【０００２】
【従来の技術】
適温の洗浄水（適温水）を吐水して人体局部を洗浄する衛生洗浄装置などの適温水を供給する装置では、洗浄水を生成する方法として、水道水などの比較的低温の水とこの水より高温の湯とをミキシング装置により混合して、適温の洗浄水を生成する方法がある。
【０００３】
従来、このような装置では、これらミキシング装置の異常により、洗浄水が高温となった場合の安全対策として、洗浄水がある程度高温となった場合には、それ以降の吐水を停止し、特別な保守作業（解除操作）が行われるまで使用不可状態とするものとなっていた。
【０００４】
【発明が解決しようとする課題】
しかしながら、このような従来の衛生洗浄装置では、瞬間式熱交換機やミキシング装置の異常により、洗浄水が一時的に高温となりその後適温の洗浄水が得られる場合でも、特別な保守作業（解除操作）が行われるまで吐水が禁止されて使用不可状態となるため、衛生洗浄装置を効率よく利用できないという問題点があった。また、無駄な保守作業が発生する原因にもなっていた。
本発明はこのような課題を解決するためのものであり、特別な保守作業を必要とすることなく洗浄水の温度上昇に柔軟に対応して効率よく利用でき、さらには無駄な保守作業を低減できる衛生洗浄装置を提供することを目的としている。
【０００５】
【課題を解決するための手段】
このような目的を達成するために、本発明は、適温の湯を作る湯生成手段と、この湯生成手段からの湯を人体局部に供給する第１の給水手段と、湯生成手段の湯を便器に流す第２の給水手段と、湯生成手段からの湯の温度を検知する温度検知手段と、湯の供給指示を行う操作部と、この操作部の操作に基づき第１の給水手段を制御する制御手段とを備える衛生洗浄装置であって、温度検知手段での検知湯温が第１の監視温度以上になると、第２の給水手段を開放し、かつ、温度検知手段での検知湯温が第１の監視温度以上になると、湯の放出中に温度検知手段で検知湯温を監視する判定モードを所定時間行うようにしたものである。これにより、例えば適温水生成時に弁へ異物がつまるなどの理由により一時的に温度上昇が生じた場合には、排水により異物が除去される。
【０００６】
また、第１の給水手段による給水中に温度検知手段での検知湯温が第１の監視温度以上となった際には、第１の給水手段による給水を停止するようにしたものである。
この判定モードでは、温度検知手段での検知湯温が第１の監視温度以下の状態となった場合は、衛生洗浄装置の動作が待機状態に移行するようにしてもよい。また、所定の時間、温度検知手段での検知湯温が第１の監視温度以下の状態が続くと、衛生洗浄装置の動作が待機状態に移行するようにしてもよく、判定モード中、所定の時間、温度検知手段での検知湯温が第１の監視温度以上の状態が続くと、異常処理動作に移行するようにしてもよい。さらに、判定モード中、所定の時間内に、温度検知手段での検知湯温が第２の監視温度以上になると、異常処理動作に移行するようにしてもよい。
【０００７】
第２の給水手段の開放中に温度検知手段での検知温湯が第１の監視温度以下に復帰した際には、第２の給水手段による給水を停止するようにしてもよい。また、異常処理動作による給水停止後における操作部の操作に基づく給水の許可は再電源投入により行うようにしてもよい。さらに、第２の給水手段を開放中に、温度検知手段での検知湯温が第１の監視温度以下に復帰した際には、第１の給水手段による給水を再開するようにしてもよく、第１の給水手段による給水の再開に応じて、第２の給水手段による給水を停止するようにしてもよい。
【０００８】
【発明の実施の形態】
次に、本発明について図面を参照して説明する。
図１は本発明の一実施の形態である衛生洗浄装置のブロック図である。この衛生洗浄装置には、水１１と湯１２とを混合して人体に影響のない適温の洗浄水１３を生成するミキシング部１と、洗浄水１３を人体局部に吐水するノズル３と、ノズル３への洗浄水１３の供給を調節する吐水弁２と、洗浄水１３を排水するための排水管５とが設けられている。
また、排水管５への洗浄水１３の供給を調節する排水弁４と、洗浄水１３の温度を検出する温度センサ６と、温度センサ６で検出された洗浄水１３の温度に応じて吐水を制御する制御部８と、スイッチ操作を検出して制御部８へ吐水開始／停止を指示する操作部７とが設けられている。
【０００９】
ミキシング部１としては、熱によるワックスの膨張伸縮を利用して弁開度を調整するワックスサーモなどが用いられる。吐水弁２および排水弁４としては、制御部８からの駆動信号に基づき弁を開閉する電磁弁が用いられる。消費電力を低減できるラッチ式電磁弁を用いてもよい。
温度センサ６としては、サーミスタなどが一般的である。制御部８としては、予め登録されたプログラムにより動作するＣＰＵが用いられる。
【００１０】
次に、図２を参照して、本発明の動作を説明する。
時刻Ｔ1以前の期間では、吐水弁２が開かれており、ミキシング部１で水１１と湯１２が混合されて洗浄水１３が生成され、吐水弁２を介してノズル３から吐水されている。排水弁４は閉じられている。
吐水中、制御部８は温度センサ６で検出された洗浄水１３の温度を監視している。ここで、時刻Ｔ1において、洗浄水１３の温度が予め設定しておいた監視温度（第１の温度）Ｓ1に達した場合、制御部８は吐水停止判定処理（判定モード：監視温度以上になった後の洗浄水の温度変化を認識し、その変化に応じて異なる動作を行わせるモード）を開始する。
【００１１】
吐水停止判定処理では、判定期間ｔDの計時を開始するとともに、洗浄水１３の温度と監視温度Ｓ1とを比較する。ここで、ミキシング部１の異常などにより洗浄水１３の温度が判定期間ｔDだけ継続して監視温度Ｓ1以上となった場合は、吐水停止が必要であると判断し、制御部８により吐水弁２が閉じられる。
これにより、時刻Ｔ1から判定時間ｔDだけ経過した時刻Ｔ2にノズル３からの吐水が停止される。この判定時間ｔDとしては、ノイズなどによる突発的な誤検出を十分回避でき、また温度センサ６を通過した洗浄水１３がノズル３へ給水されるまでの時間長が用いられる。
【００１２】
その後の時刻Ｔ3において、制御部８は排水弁４を一時的に開き、洗浄水１３を排水管５から便器へ排水する。また、制御部８での吐水管理状態８Ａは、吐水可のままとする。したがって、監視温度Ｓ1より高い温度の洗浄水１３が排水されるため、洗浄水１３の温度上昇が突発的なものであれば、排水により洗浄水１３の温度が低下して適温範囲となるため、その後の吐水開始操作に応じて、吐水を再開すればよい。
これにより、前述と同様に吐水中での洗浄水１３の温度監視が行われ、必要に応じて吐水停止判定処理が行われる。
【００１３】
したがって、例えばミキシング部１などで弁へ異物がつまるなどの理由により一時的に温度上昇が生じた場合には、排水により異物が除去されて正常状態へ復帰できることから、従来のように、洗浄水の温度上昇に応じて直ちにそれ以降の吐水を禁止する場合と比較して、特別な保守作業（解除操作）を必要とすることなく柔軟に対応でき、効率よく利用できる。
【００１４】
図２では、時刻Ｔ3から開始した排水期間中に、温度センサ６で排水中の洗浄水１３の温度を監視している。ここで、時刻Ｔ3から時刻Ｔ5までの排水期間ｔHが経過するまでに洗浄水１３の温度が監視温度Ｓ1を下回った場合（時刻Ｔ4）は、洗浄水１３のさらなる排水が不要であると判断して、排水弁４を閉じて直ちに排水を停止し待機状態（吐水弁２および排水弁４を閉じてノズル３および排水管５への給水を行っていない状態すなわち操作待ち受け状態）へ移行する。制御部８での吐水管理状態８Ａは、吐水可のままである。
これにより、安全性を維持しつつ早期に吐水を再開できるとともに、適温洗浄水の無駄な排水を回避できる。
【００１５】
また、図３に示すように、排水期間ｔH継続して洗浄水１３の温度が監視温度Ｓ1以上であった場合、制御部は、一時的な温度上昇ではないと判断し、排水期間ｔHが終了する時刻Ｔ5において、排水弁４を閉じて排水を停止する。そして、吐水管理状態８Ａを吐水禁止に設定し、それ以降、吐水操作を受け付けない。
これにより、利用者への安全性を確保できるとともに、水温低下の見込みがない高温洗浄水の無駄な排水を回避できる。
【００１６】
また、図４に示すように、排水期間ｔHが経過する前に、洗浄水１３の温度が監視温度Ｓ1より高い監視温度（第２の監視温度）Ｓ2へ達した場合は、その時点（時刻Ｔ6）で直ちに排水弁４を閉じて排水を停止する。そして、吐水管理状態８Ａを吐水禁止に設定し、それ以降、吐水操作を受け付けない。
これにより、利用者への安全性を確保できるとともに、水温低下の見込みがない高温洗浄水の無駄な排水を回避できる。
【００１７】
なお、図２では、洗浄水１３の温度が監視温度Ｓ1を下回った場合（時刻Ｔ4）は、洗浄水１３のさらなる排水が不要であると判断して、排水弁４を閉じて直ちに排水を停止するだけであったが、図５に示すように、吐水弁２を開いて吐水を再開してもよい。これにより、利用者が吐水指示をすることなく、温度低下に応じて自動的に吐水が再開される。
【００１８】
【発明の効果】
以上説明したように、本発明は、適温の湯を作る湯生成手段と、この湯生成手段からの湯を人体局部に供給する第１の給水手段と、湯生成手段の湯を便器に流す第２の給水手段と、湯生成手段からの湯の温度を検知する温度検知手段と、湯の供給指示を行う操作部と、この操作部の操作に基づき第１の給水手段を制御する制御手段とを備える衛生洗浄装置であって、温度検知手段での検知湯温が第１の監視温度以上になると、第２の給水手段を開放し、かつ、温度検知手段での検知湯温が第１の監視温度以上になると、湯の放出中に温度検知手段で検知湯温を監視する判定モードを所定時間行うようにしたので、適温水生成時に弁へ異物がつまるなどの理由により一時的に温度上昇が生じた場合には、排水により異物が除去されて正常状態へ復帰できることから、従来のように、適温水の温度上昇に応じて直ちにそれ以降の吐水を禁止する場合と比較して、特別な保守作業（解除操作）を必要とすることなく適温水の温度上昇に柔軟に対応でき、効率よく利用できる。
【図面の簡単な説明】
【図１】  本発明の一実施の形態による衛生洗浄装置のブロック図である。
【図２】  吐水制御例を示すタイミングチャートである。
【図３】  吐水制御の他の例を示すタイミングチャートである。
【図４】  吐水制御の他の例を示すタイミングチャートである。
【図５】  吐水制御の他の例を示すタイミングチャートである。
【符号の説明】
１…ミキシング部、１１…水、１２…湯、１３…洗浄水、２…吐水弁、３…ノズル、４…排水弁、５…排水管、６…温度センサ、７…操作入力部、８…制御部、Ｓ1…監視温度（第１の監視温度）、Ｓ2…監視温度（第２の監視温度）、ｔD…判定期間、ｔH…排水期間。
【図１】
0004053706.tif 000002
【図２】
0004053706.tif 000003
【図３】
0004053706.tif 000004
【図４】
0004053706.tif 000005
【図５】
0004053706.tif 000006